(57)【特許請求の範囲】
【請求項１】
アームレストの上面に下面の少なくとも一部を接して取り付けられる一対の保持枠部と、アームレストへの取付手段とを有する取付枠体と、
前記ア−ムレストのシート側にある側面と反対の側面の外方において、前記取付枠体の一対の保持枠部間に取付軸によって吊下げ状態に組み付けられていると共に、当該取付軸を回動中心として前記アームレストのシート側にある側面と反対の側面から離れる向きに回動される載置体とを備え、
前記載置体と取付枠体とに、前記離れる向きに移動される載置体をその載置面を略水平となるように保持する回動停止手段が設けてあることを特徴とする物品載置具。
【請求項２】
一対の保持枠部を備えた取付枠体が、アームレストの一側面に沿って垂設される支持部を備えていると共に、
前記一対の保持枠部と当該支持部とをアームレストに密着させるように、アームレストに締め込み、巻き付けられる取付手段を備えていることを特徴とする請求項１記載の物品載置具。
【請求項３】
支持部におけるアームレストに向けられた側に、当該アームレストの側面に当接するように前記支持部からの突き出し幅の調整可能なアジャスター手段が設けてあることを特徴とする請求項２記載の物品載置具。
【請求項４】
取付枠体における一対の保持枠部の内側部にはそれぞれ、互いに向き合う側に突き出し、かつ、当該向きに付勢された取付軸が設けてあると共に、
載置体の側部には、前記取付軸を抜き差し可能に収めて前記取付枠体に前記載置体を組み付ける溝が設けてあり、
この溝が少なくとも、前記載置体をこの載置体の載置面が略水平となるように前記取付軸を中心に回動させた状態において、当該載置体を略水平の向きに移動可能とするように、前記取付軸を案内する構成としてあると共に、
前記載置体の前記略水平の向きに向けた移動終了位置において、前記取付軸が前記付勢により落ち込む凹部を備えており、
しかも、前記載置体と前記取付枠体とに、前記取付軸が前記溝の凹部に落ち込まれた状態において、相互に引っ掛かりあって当該載置体の回動を停止させる回動停止手段が設けてあることを特徴とする請求項１記載の物品載置具。
【請求項５】
載置体の側部に設けられた溝が、この溝における当該載置体の略水平の向きに向けた移動終了位置において取付軸が付勢により落ち込む凹部が設けられている側に、前記載置体の下面側に開放した前記取付軸の導入溝を連設して備えていることを特徴とする請求項４記載の物品載置具。
【請求項６】
載置体の対向位置にある一対の側部にそれぞれ、間隔を開けて一対の溝が設けてあることを特徴とする請求項４記載の物品載置具。
【発明の詳細な説明】
【０００１】
【発明の属する技術分野】
この発明は、乗用車のシートなどに設けられるアームレストに取り付け用いられる物品載置具の提供に関する。
【０００２】
【従来の技術】
バスなどの大型車に合っては、隣り合う座席間に通路が設けられている。また、小型車にあっても、近年、乗用車の居住性を向上させるなどの観点から、隣り合う座席の間に通り抜け可能な間隔が設けられている。
【０００３】
こうしたことから、かかる座席間の間隔を有効に活用すべく、かかる座席におけるアームレストのシート側と反対の側、すなわち当該間隔側において当該アームレストを利用して物品の載置を可能とすることが要請されるに至った。
【０００４】
【発明が解決しようとする課題】
しかしながら、かかる空間は通路などとして利用されるものであることから、当該アームレストに物品を載置するためのトレイなどを設けることは、単純にはなし得ないものであった。
【０００５】
一方、乗用車等の室内装置品に取り外し可能に装備させることができる物品載置具としては、例えば、実開昭５８−７５０５３に示されるトレイがある。
【０００６】
このトレイは、平盤状をなすトレイ本体の中央部両側に一対の着脱用ベルトを備えた構成とされている。したがって、このトレイによれば、例えば、乗用車のコンソールボックスの蓋の上面に前記トレイの下面が密着するように、かかる着脱用ベルトを当該蓋に巻き付けて、かかる蓋に装着、用いることができるものであった。
【０００７】
しかるに、かかる従来のトレイにあっては、前記着脱用ベルトの巻き付けにより密着される箇所が、前記トレイ本体の下面に過ぎないため、取り付け状態を安定的に確保し難いものであった。殊に、トレイ本体の幅よりも幅寸法を小さくする取付対象物に装着した場合、当該取付対象物を回動中心としてトレイが側方に傾動、脱落してしまう事態を生じやすいものであった。
【０００８】
また、かかる従来のトレイにあっては、前記本体トレイ上にカップホルダーとして用いられる補助トレイが、本体トレイの上方に向けて本体トレイと略平行に移動できるように、一端を本体トレイに他端を補助トレイにそれぞれ回動可能に組み付けたアームを介して組み付けた構成を備えているが、補助トレイのみを取り外すことができないため、カップホルダーとなる補助トレイの清掃、洗浄などをなす場合であっても、トレイ全体を取付対象物から取り外してこれら洗浄をなすことを余儀なくさせるものであった。
【０００９】
そこでこの発明は、アームレストにおけるシート側と反対の側に支障なく取り付け用いることができ、また、比較的幅の狭いアームレストに容易かつ確実に取り付けることができ、かつ、取扱の容易な物品載置具の提供を目的とする。
【００１０】
【課題を解決するための手段】
前記目的を達成するために、請求項１記載の発明にあっては、物品載置具を、アームレストＡの上面Ａａに下面１０ａの少なくとも一部を接して取り付けられる一対の保持枠部１１、１１と、アームレストＡへの取付手段１３とを有する取付枠体１０と、前記ア−ムレストＡのシート側にある側面Ａｂ’と反対の側面Ａｂの外方において、前記取付枠体１０の一対の保持枠部１１、１１間に取付軸１４によって吊下げ状態に組み付けられていると共に、当該取付軸１４を回動中心として前記アームレストＡのシート側にある側面Ａｂ’と反対の側面Ａｂから離れる向きに回動される載置体２０とを備え、前記載置体２０と取付枠体１０とに、前記離れる向きに移動される載置体２０をその載置面２０ａ’を略水平となるように保持する回動停止手段３０が設けてある構成とした。
【００１１】
また、請求項２記載の発明にあっては、請求項１記載の物品載置具がさらに、一対の保持枠部１１、１１を備えた取付枠体１０が、アームレストＡの一側面Ａｂに沿って垂設される支持部１２を備えていると共に、前記一対の保持枠部１１、１１と当該支持部１２とをアームレストＡに密着させるように、アームレストＡに締め込み、巻き付けられる取付手段１３を備えている構成とした。
【００１２】
また、請求項３記載の発明にあっては、請求項２記載の物品載置具がさらに、支持部１２におけるアームレストＡに向けられた側に、当該アームレストＡの側面Ａｂに当接するように前記支持部１２からの突き出し幅の調整可能なアジャスター手段１５を備えた構成とした。
【００１３】
また、請求項４記載の発明にあっては、請求項１記載の物品載置具がさらに、取付枠体１０における一対の保持枠部１１、１１の内側部にはそれぞれ、互いに向き合う側に突き出し、かつ、当該向きに付勢された取付軸１４が設けてあると共に、載置体２０の側部２０ｂ、２０ｂには、前記取付軸１４を抜き差し可能に収めて前記取付枠体１０に前記載置体２０を組み付ける溝２１が設けてあり、この溝２１が少なくとも、前記載置体２０をこの載置体２０の載置面２０ａ’が略水平となるように前記取付軸１４を中心に回動させた状態において、当該載置体２０を略水平の向きに移動可能とするように、前記取付軸１４を案内する構成としてあると共に、前記載置体２０の前記略水平の向きに向けた移動終了位置Ｓａにおいて、前記取付軸１４が前記付勢により落ち込む凹部２１ａを備えており、しかも、前記載置体２０と前記取付枠体１０とに、前記取付軸１４が前記溝２１の凹部２１ａに落ち込まれた状態において、相互に引っ掛かりあって当該載置体２０の回動を停止させる回動停止手段３０を備えた構成とした。
【００１４】
また、請求項５記載の発明にあっては、請求項４記載の物品載置具がさらに、載置体２０の側部２０ｂに設けられた溝２１における当該載置体２０の略水平の向きに向けた移動終了位置Ｓａにおいて取付軸１４が付勢により落ち込む凹部２１ａが設けられている側に、前記載置体２０の下面側に開放した前記取付軸１４の導入溝２２を連設して備えている構成とした。
【００１５】
さらに、請求項６記載の発明にあっては、請求項４記載の物品載置具がさらに、載置体２０の対向位置にある一対の側部２０ｂ、２０ｂにそれぞれ、間隔を開けて一対の溝２１、２１を備えた構成とした。
【００１６】
【発明の実施の形態】
以下、この発明の典型的な実施の形態について、説明する。
【００１７】
（第一の実施の形態）
先ず、物品載置具を、アームレストＡの上面Ａａに下面１０ａの少なくとも一部を接して取り付けられる一対の保持枠部１１、１１と、アームレストＡへの取付手段１３とを有する取付枠体１０と、前記ア−ムレストＡのシートと向き合っている側面Ａｂ’と反対の側面Ａｂの外方において、前記取付枠体１０の一対の保持枠部１１，１１間に吊下げ状態に組み付けられていると共に、当該吊下げ位置を回動中心として前記アームレストＡから離れる向きに回動される載置体２０とを備え、前記載置体２０と取付枠体１０とに、前記離れる向きに移動される載置体２０を載置面２０ａ’を略水平となるように保持する回動停止手段３０が設けてある構成とすることが、この発明の最良の実施の形態の一つとされる。
【００１８】
かかる構成によれば、前記載置体２０を載置面２０ａ’を略水平とする位置まで回動させることにより、当該載置面２０ａ’に適宜の物品を載せ置くことができ、また、載置体２０は取付枠体１０に吊下げ状に組み付けられていることから、載置体２０への物品の載置が必要でない場合には、載置体２０を前記回動前の位置に移動させて、邪魔にならないようにしておくことができる。
【００１９】
この結果、この実施の形態によれば、アームレストＡにおけるシート側と反対の側の空間を有効に利用することが可能となる。
【００２０】
特に、ワンボックスタイプの自動車など、隣り合う座席間に通り抜け可能な間隔を設けてある自動車において、当該座席のアームレストＡに用いるのに適している。すなわち、前記隣り合う座席間の空間において物品の載置をなすことができ、また、かかる物品の載置が必要ない場合には、前記載置体２０を前記回動前の位置に移動させて当該座席間の通り抜けに支障を生じさせない。また、前記座席のアームレストＡに装着されるので、当該座席の向きを変えるために、当該座席を回転させるなどの操作にも支障を生じさせない。
【００２１】
（第二の実施の形態）
また、前記第一の実施の形態にかかる物品載置具における一対の保持枠部１１、１１を備えた取付枠体１０が、アームレストＡの一側面Ａｂに沿って垂設される支持部１２を備えていると共に、前記一対の保持枠部１１、１１と当該支持部１２とをアームレストＡに密着させるように、アームレストＡに締め込み、巻き付けられる取付手段１３を備えている構成とすることが、この発明の最良の実施の形態の一つとされる。
【００２２】
かかる構成によれば、前記アームレストＡに対し、このアームレストＡの上面Ａａに前記一対の保持枠部１１、１１を密着させ、かつ、当該アームレストＡの側面Ａｂに前記支持部１２を密着させて、当該アームレストＡに安定的取り付けることができる。また、かかる取り付けをアームレストＡに前記保持枠部１１と支持部１２が密着するように、このアームレストＡに締め込み、巻き付けられる取付手段１３によりなすことから、アームレストＡの幅に大きな影響を受けることなく、かかる安定的な取り付けをなすことができる。
【００２３】
かかる取付手段１３としては、例えば、一端側が前記保持枠部１１から引き出され、かつ、他端側が前記支持部１２から引き出されたベルト１３ａ、あるいは、一端側が前記保持枠部１１に取り付けられ、かつ、他端側が前記支持部１２に取り付けられたベルトと、このベルトの両端を、このベルトをアームレストＡの下面と前記支持部１２が向き合わない側のアームレストＡの側面Ａｂとに少なくとも締め込み、巻き付けた状態で繋ぎ合わせることの可能なバックル１３ｂ等の留め具とから構成することができる。
【００２４】
（第三の実施の形態）
また、前記第二の実施の形態にかかる物品載置具において、支持部１２における前記アームレストＡに向けられた側に、当該アームレストＡの側面Ａｂに当接するように前記支持部１２からの突き出し幅の調整可能なアジャスター手段１５が設けてある構成とすることが、この発明の最良の実施の形態の他の一つとされる。
【００２５】
かかる構成によれば、取り付けられるアームレストＡの形状、大きさなどにより、当該アームレストＡの側面Ａｂに支持部１２が密着しない場合であっても、アジャスター手段１５の前記突き出し幅を変えて、このアジャスター手段１５でアームレストＡの側面Ａｂに密着あるいは圧接させることができ、この結果、複数種類のアームレストＡに対してそれぞれガタや、ズレなく取付枠体１０を取り付けることができる。
【００２６】
（第四の実施の形態）
また、前記第一の実施の形態にかかる物品載置具に、さらに以下の構成を備えさせることが、この発明の最良の実施の形態の他の一つとされる。
（１）  前記取付枠体１０における前記一対の保持枠部１１、１１の内側部にはそれぞれ、互いに向き合う側に突き出し、かつ、当該向きに付勢された取付軸１４が設けてある。
（２）  前記載置体２０の前記一対の側部２０ｂ、２０ｂには、前記取付軸１４を抜き差し可能に収めて前記取付枠体１０に前記載置体２０を組み付ける溝２１が設けてある。
（３）  この溝２１が少なくとも、前記載置体２０をこの載置体２０の載置面２０ａ’が略水平となるように前記取付軸１４を中心に回動させた状態において、当該載置体２０を略水平の向きに移動可能とするように、前記取付軸１４を案内する構成としてある。
（４）  前記載置体２０の前記略水平の向きに向けた移動終了位置Ｓａにおいて、前記取付軸１４が前記付勢により落ち込む凹部２１ａを備えている。
（５）  前記載置体２０と前記取付枠体１０とに、前記取付軸１４が前記溝２１の凹部２１ａに落ち込まれた状態において、相互に引っ掛かりあって当該載置体２０の回動を停止させる回動停止手段３０が設けてある。
【００２７】
したがって、この実施の形態にかかる物品載置具によれば、前記溝２１から前記取付軸１４を抜き出すことにより、アームレストＡから当該取付枠体１０を取り外すことなく、前記取付枠体１０から載置体２０を容易に取り外すことができ、当該載置体２０の清掃、洗浄などを簡易に行うことができる。
【００２８】
また、前記取付軸１４を前記溝２１に収めた状態で、この取付軸１４を中心に前記載置体２０をその載置面２０ａ’が略水平になる位置Ｓｂを中心に上下に回動させることが可能であり、載置体２０への物品の載置が必要でない場合には、載置体２０を邪魔にならない位置に移動、位置付けておくことが可能とされる。
【００２９】
また、載置体２０の載置面２０ａ’への物品の載置が必要とされる場合には、前記載置面２０ａ’が略水平の向きとなる位置Ｓｂまで前記取付軸１４を中心に載置体２０を回動させた後、略水平の向きに移動させることにより、前記凹部２１ａに付勢により取付軸１４を落ち込ませると共に、この位置で相互に引っ掛かり合う前記回動停止手段３０によりこの取付軸１４を中心とした載置体２０の回動を停止させて、当該載置体２０の載置面２０ａ’を物品の載置に必要な略水平の状態に安定的に維持することができる。
【００３０】
かかる回動停止手段３０は、例えば、前記載置体２０の水平の向きへの移動により嵌り合い、前記載置体２０が前記取付軸１４を中心として回動する向きの力を受けた場合に、この回動を阻止する向きで相互に引っ掛かり合う突部３１と凹部３２とを、前記載置体２０の前記移動前方側の側部とこの側部に向きあった前記取付枠体１０の内側部とに設けて構成することができる。
【００３１】
また、かかる回動停止手段３０は、例えば、前記載置体２０の略水平の向きへの移動方向に沿ったリブ３３を前記取付枠体１０の内側に設けると共に、当該載置体２０の一対の側部２０ｂ、２０ｂに設けた前記溝２１が当該載置体２０の隅部２０ｄに溝端を位置させ、かつ、当該載置体２０の略水平の向きへの移動に伴ってかかる溝２１の隅部２０ｄにある溝端から当該溝２１に前記リブ３３が入り込むようにし、前記載置体２０が前記取付軸１４を中心として回動する向きの力を受けた場合に、前記溝２１の溝２１壁と前記リブ３３の側部とがこの回動を阻止する向きで引っ掛かり合うようにして構成することができる。
【００３２】
（第五の実施の形態）
また、さらに第四の実施の形態にかかる物品載置具において、載置体２０の側部２０ｂに設けられた溝２１が、この溝２１における当該載置体２０の略水平の向きに向けた移動終了位置Ｓａにおいて取付軸１４が付勢により落ち込む凹部２１ａが設けられている側に、前記載置体２０の下面側に開放した前記取付軸１４の導入溝２２を連設して備えている構成とすることが、この発明の最良の実施の形態の一つとされる。
【００３３】
かかる構成によれば、前記導入溝２２を通じて前記取付軸１４を容易に前記溝２１に収め入れることができ、また、前記溝２１に収められた取付軸１４がこの導入溝２２に臨む位置まで前記載置体２０を移動させることにより、この導入溝２２から取付軸１４を容易に抜き出すことができ、前記取付枠体１０に対する載置体２０の取り付け、取り外しをスムースに行うことができる。
【００３４】
（第六の実施の形態）
また、さらに前記第四の実施の形態にかかる物品載置具において、載置体２０の対向位置にある一対の側部２０ｂ、２０ｂにそれぞれ、間隔を開けて一対の溝２１、２１が設けてある構成とすることが、この発明の最良の実施の形態の一つとされる。
【００３５】
かかる構成によれば、当該載置体２０の一方の側部２０ｂ（Ｅ１）にある一対の溝２１、２１の一方（Ｍ１）と、他方の側部２０ｂ（Ｅ２）にある一対の溝２１、２１のに一方（Ｍ１）とに、それぞれ前記一対の保持枠部１１、１１に設けられた取付軸１４を収め入れて、当該載置体２０を取付枠体１０に組み付けることができ、また、当該載置体２０の一方の側部２０ｂ（Ｅ１）にある一対の溝２１、２１の他方（Ｍ２）と、他方の側部２０ｂ（Ｅ２）にある一対の溝２１、２１の他方（Ｍ２）とに、それぞれ前記一対の保持枠部１１、１１に設けられた取付軸１４を収め入れて、当該載置体２０を取付枠体１０に組み付けることができる。この結果、取付枠体１０に対して載置体２０を二つの向きで選択的に組み付けることができる。
【００３６】
（より具体的な実施の形態）
次いで、図１ないし図１５に示されるこの発明にかかる物品載置具のより具体的な実施の形態について説明する。
【００３７】
なお、ここで図１は、この実施の形態に係る物品載置具の構成を理解し易いように、取付枠体１０と載置体２０とを分離して、斜視の状態として示している。また、図２は、取付軸１４を中心に載置体２０をその載置面２０ａ’が略水平位置Ｓｂとなるように回動させた態様を斜視の状態で示している。
【００３８】
また、図３は、アームレストＡに対して取付枠体１０を取り付けると共に、この取付枠体１０に対し、回動停止手段３０を引っ掛け合わさせる位置まで略水平に移動された物品の載置可能な状態を載置体２０の上方から見た状態で示している。また、図４は、図３に示される状態を同図の上側から見て示しており、アームレストＡへの締め込み、巻き付け時の取付手段１３を想像線で示して表している。また、図５は、図３に示される状態を同図の下側から見て示している。また、図６は、物品載置具をアームレストＡの側面Ａｂと接する側から見て示している。また、図７は、アームレストＡへの取り付け状態を理解し易いように、アームレストＡおよび取付枠体１０の要部を縦断面の状態として示している。
【００３９】
また、図８は、アームレストＡに対して取付枠体１０を取り付けると共に、この取付枠体１０に対し、回動停止手段３０を外した位置まで略水平に移動された状態を載置体２０の上方から見た状態で示している。また、図９は、アームレストＡに対して取付枠体１０を取り付けると共に、この取付枠体１０に対し、前記取付軸１４を中心に載置体２０をこの載置体２０の載置面２０ａ’が略鉛直方向に沿うように回動させた状態Ｓｃを、物品載置具の上方から見て示している。
【００４０】
また、図１０および図１１は、図９における取付軸１４が設けられている箇所の詳細を理解し易いように、当該箇所を断面にしてそれぞれ示している。
【００４１】
また、図１２は、図９に示される状態を図９の上方から見て示している。また、図１３は図１２における固定軸１８が設けられている箇所の詳細を理解し易いように、当該箇所を断面にして示している。
【００４２】
また、図１４は、取付枠体１０から載置体２０を取り外し、あるいは、組み付ける状態を理解し易いように、物品載置具を側方から見て示している。さらに、図１５は、載置体２０を下面側から見て示している。
【００４３】
図１ないし図１５に示される物品載置具は、乗用車のシート、列車、航空機等の座席、映画館の座席等に備えられるアームレストＡに着脱可能に取り付けて用いられる。また特に、アームレストＡに取り付けられる取付枠体１０に対し、物品を載置する載置体２０を物品を載置する水平位置と、鉛直位置との間で回動可能に組み付けた構成を備えると共に、必要に応じて取付枠体１０から載置体２０を取り外せる構成を備えている。
【００４４】
先ず、前記取付枠体１０は、アームレストＡの上面Ａａに下面の少なくとも一部を接して取り付けられる一対の保持枠部１１、１１と、この取付枠体１０をアームレストＡに取り付ける際にアームレストＡの側面Ａｂに沿って垂設される支持部１２と、アームレストＡへの取付手段１３とを備えている。
【００４５】
一対の保持枠部１１、１１は、取り付けられるアームレストＡの幅方向に沿った桿状体として構成してある。かかる一対の保持枠部１１、１１は一端側で、取り付けられるアームレストＡの長さ方向に沿った連結桿部１７により一体に連結されている。
【００４６】
また、前記支持部１２は、一端側を前記保持枠部１１の前記連結桿部１７が設けられていない側に一体に連設させ、かつ、取り付けられるアームレストＡの側面Ａｂに沿って垂設される一対の支持桿部１２ａ、１２ａと、この一対の支持桿部１２ａ、１２ａ間に亙って設けられるアームレストＡの側面Ａｂへの添装板部１２ｂとを備えている。この実施の形態にあっては、取り付けられるアームレストＡの突き出し先端側Ａｃにある支持桿部１２ａに比し、基部側Ａｄにある支持桿部１２ａが長くなるように構成してある。また、前記添装板部１２ｂは、その上縁を前記保持枠部１１の下面１０ａから上方に突き出さない高さとして構成してある。また、この実施の形態にあっては、かかる添装板部１２ｂは、取付枠体１０の中央側において当該取付枠体１０の上方において開放された欠切部１２ｃにより、当該取付枠体１０の下側において相互に連設された前側板部１２ｄと後側板部１２ｅとに区分されている。また、かかる添装板部１２ｂは、その下側に、取り付けられるアームレストＡの下面に沿った保持面１２ｆを備えている。
【００４７】
また、前記アームレストＡへの取付手段１３は、この実施の形態にあっては、前記添装板部１２ｂと前記連結桿部１７とにそれぞれ設けられたスリット１７ａ、１２ｇに挿通され、かつ、一端部にバックル１３ｂを備えたベルト１３ａとして構成されている。
【００４８】
すなわち、この実施の形態にあっては、前記ベルト１３ａを、前記添装板部１２ｂの下側に設けられたスリット１２ｂに対し、当該添装板部１２ｂにおける前記アームレストＡの側面Ａｂに向き合った側から差し通すと共に、このように差し通したベルト１３ａを当該添装板部１２ｂの面に沿って上方に引き出し、このように上方に引き出したベルト１３ａを当該添装板部１２ｂの上縁を通じて前記連結桿部１７の下側に設けたスリット１７ａに挿通し、当該連結桿部１７における前記添装板部１２ｂに向き合わない側から側方に引き出して前記取付枠体１０に備え付けてある。そして、このように前記連結桿部１７のスリット１７ａから引き出されたベルト１３ａの一端にバックル１３ｂを設けてある。また、この実施の形態にあっては、かかるベルト１３ａが、前記添装板部１２ｂを構成する前側板部１２ｄとこの前側板部１２ｄに対向した連結桿部１７との間と、前記後側板部１２ｅとこの後側板部１２ｅに対向した連結桿部１７との間とにそれぞれ設けてある。
【００４９】
したがって、この実施の形態にかかる取付枠体１０は、アームレストＡに対し、前記保持枠部１１の下面がアームレストＡの上面Ａａに接し、かつ、前記支持部１２における前記連結桿部１７に向き合った側の面がアームレストＡの側面Ａｂに接するようにアームレストＡに載せ置いた後、前記ベルト１３ａがアームレストＡの下面と前記添装板部１２ｂが接する側と反対の側面とにそれぞれ圧接するようにベルト１３ａを引き絞った状態で、前記バックル１３ｂによりベルト１３ａ両端を連結することにより、アームレストＡに取り付けることができる。
【００５０】
この実施の形態にあっては、前記添装板部１２ｂを構成する前側板部１２ｄと後側板部１２ｅとにそれぞれ、かかる前側板部１２ｄと後側板部１２ｅにおける前記アームレストＡの側面Ａｂに向き合う側の板面からの突き出し幅を可変操作可能なアジャスター手段１５が設けてある。
【００５１】
かかるアジャスター手段１５は、この実施の形態にあっては、円板状をなす頭部１５ａを一端に備えたネジ１５ｂと、前記前側板部１２ｄと後側板部１２ｅとにそれぞれ設けられたこのネジ１５ｂに噛み合いう雌ネジを備え、このネジ１５ｂを収めるネジ穴１５ｃとにより構成してある。
【００５２】
したがって、この実施の形態にあっては、取り付けられるアームレストＡの形状、大きさなどにより、当該アームレストＡの側面Ａｂに添装板部１２ｂが密着しない場合であっても、前記ネジ１５ｂをネジ穴１５ｃに対して螺進退させることにより前記頭部１５ａの位置を変えて、少なくともこの頭部１５ａの面をアームレストＡの側面Ａｂに密着あるいは圧接させることができ、この結果、複数種類のアームレストＡに対してそれぞれガタやズレなく取付枠体１０を取り付けることができる。
【００５３】
なお、かかるアジャスター手段１５の前記頭部１５ａをゴムや、弾性変形特性を備えたプラスチック材料により構成することにより、かかる頭部１５ａを変形させてこの頭部１５ａの前記アームレストＡに対する圧接状態をより高めるようにすることができる。
【００５４】
また、前記取付枠体１０は、前記一対の保持枠部１１、１１にそれぞれ、当該保持枠部１１の内側部から先端側を突き出し、かつ、この先端側を常時突き出す向きに付勢された取付軸１４を備えている、
【００５５】
この取付軸１４は、前記保持枠部１１における前記支持部１２に連設された側の端部にそれぞれ設けてある。また、一対の保持枠部１１、１１の一方に設けられた取付軸１４と他方に設けられた取付軸１４の軸線が略同一の直線上に位置される構成としてある。
【００５６】
すなわち、この実施の形態にあっては、かかる保持枠部１１の端部に、当該保持枠部１１の内外を連通する当該取付軸１４の差し込み穴１６が設けてあり、円板状の操作頭部１４ａを有する取付軸１４が保持枠部１１の外側にこの操作頭部１４ａを位置させるように、当該差し込み穴１６に差し込まれ、先端側を保持枠部１１の内側にある差し込み穴１６の穴口から突き出させた構成としてある。また、かかる差し込み穴１６は、保持枠部１１の内側において大径部１６ａとされ、一方取付軸１４には当該差し込み穴１６の大径部１６ａに収まる大きさのワッシャー１４ｂが嵌め付けてある。そして、前記差し込み穴１６の大径部１６ａにより形成された段部１６ｂとかかるワッシャー１４ｂとの間に圧縮コイルバネ１９が介装してある。
【００５７】
かかる構成により、この実施の形態にあっては、前記取付軸１４は、前記操作頭部１４ａを前記保持枠部１１の外側にある差し込み穴１６の穴口縁に続く外面に接しさせる位置まで、その先端側を常時かかる保持枠部１１の内側に付勢、突き出すものとされる。また、前記操作頭部１４ａを把持して前記バネ１９の付勢に抗して取付軸１４を保持枠部１１の外側に向けて引き出す向きに移動させることが可能とされる。
【００５８】
一方、この実施の形態にあっては、前記載置体２０は、方形盤状体として構成してあり、物品の載置面２０ａ’となる上面２０ａを備えると共に、対向位置にある一対の側部２０ｂ、２０ｂを前記取付枠体１０を構成する一対の保持枠部１１、１１の内側面に向き合わせる位置でこの一対の保持枠部１１、１１間に収めることができる大きさに構成してある。
【００５９】
また、この実施の形態にあっては、前記のように一対の保持枠部１１、１１間に載置体２０を収め入れた際に、かかる載置体２０の側部面と保持枠部１１の内側面１０ｂとの間にわずかに隙間が形成される構成とされている。
【００６０】
また、この載置体２０における前記一対の側部２０ｂ、２０ｂには、前記取付枠体１０を構成する一対の保持枠部１１、１１間にこの載置体２０を前記のように収め入れた際に、前記取付軸１４を収めて前記取付枠体１０に前記載置体２０を組み付ける溝２１が設けてある。
【００６１】
かかる溝２１は、前記載置体２０の幅方向に沿って設けられている。また、この実施の形態にあっては、前記一対の側部２０ｂ、２０ｂのそれぞれにおいて、載置体２０の隅部２０ｄに溝２１の一端側を位置させるように、略同一の長さの二つの溝２１、２１が設けてある。かかる二つの溝２１、２１は、略同一線上に位置されるように設けてある。また、かかる二つの溝２１、２１は、前記隅部２０ｄ側と反対の側の溝端に、前記載置体２０の下面において溝端を開放した導入溝２２を連通して備えている。
【００６２】
また、この実施の形態にあっては、これらの溝２１が設けられた側部２０ｂと、これに隣り合う側部２０ｃとの接し合う前記隅部２０ｄをアール状に構成していると共に、これらの溝２１がいずれもこのアール状をなす隅部２０ｄに溝端を位置させた構成としてある。
【００６３】
したがって、この実施の形態にあっては、前記載置体２０の一対の側部２０ｂ、２０ｂにおける対向位置にある一方の溝２１、２１（Ｍ１、Ｍ１）のそれぞれに、前記取付枠体１０を構成する一対の保持枠部１１、１１の取付軸１４をそれぞれ入れ込むことにより、当該取付枠体１０に載置体２０を組み付けることができる。
【００６４】
すなわち、この実施の形態にあっては、前記導入溝２２から前記取付軸１４が前記溝２１に入り込みように、前記載置体２０をその裏面側から前記一対の保持枠部１１、１１間に収め入れることにより、この導入溝２２に連通している前記溝２１の溝端位置まで前記取付軸１４を前記バネ１９の付勢に抗してやや前記保持枠部１１の外側に移動させた状態で当該取付軸１４を導入させることができる。（すなわち、図１４において仮想線で示される載置体２０を、同図における左側に移動させてこの導入がなされる。）
【００６５】
ここで、この実施の形態にあっては、前記溝２１における導入溝２２と連通されている溝端に、前記取付軸１４の先端部が収まる凹部２１ａが設けてある。したがって、前記溝２１における前記導入溝２２との連通側の溝端まで導入された取付軸１４は、前記バネ１９の付勢により前記凹部２１ａにその先端部を落ち込ませる。したがって、図１４に示される状態において、前記載置体２０は前記取付枠体１０に対し、前記取付軸１４を中心に回動可能に支持される。
【００６６】
次いで、図１４に示される状態から、前記取付軸１４を前記バネ１９の付勢に抗して前記保持枠部１１の外側に向けて引き出し、前記凹部２１ａから前記取付軸１４の先端側を抜き出す。こうすると、前記溝２１の前記隅部２０ｄ側にある溝端の溝壁に前記取付軸１４の側部が当接される位置まで、前記載置体２０を自重により下方に移動させることができる。
【００６７】
なお、この実施の形態にあっては、前記載置体２０の一対の側部２０ｂ、２０ｂにおいて対向して設けられた一方の溝２１、２１の一方に、前記隅部２０ｄ側にある溝端に前記取付軸１４が位置された際に前記バネ１９の付勢により取付軸１４の先端部が落ち込まれる凹部２１ｂが設けてあり、この載置体２０の下方への移動状態を維持することができる構成としてある。
【００６８】
また、実施の形態にあっては、前記長い側の支持桿部１２ａの下端に、前記取付軸１４と略同一の構成を備えた固定軸１８が設けてあり、（したがって、当該固定軸１８の構成は当該固定軸１８の構成を示す図１３に、取付軸１４を示す図１０および図１１において用いた符号と同一の符号を付してその説明を省略する。）前記のように下方に移動された載置体２０における前記側部２０ｂに設けてある二つの溝２１、２１のうち、前記取付軸１４が収められていない溝２１の導入溝２２の入口にかかる固定軸１８が臨む構成としてある。
【００６９】
したがって、この実施の形態にあっては、前記のように下方に移動された載置体２０における下側を、前記取付軸１４を中心に前記添装板部１２ｂに近接される向きに回動させることにより、前記導入溝２２からこの導入溝２２に連通されている位置にある前記溝２１の溝端に前記取付軸１４を導入させることができる。この結果、この溝端にある前記凹部２１ａに前記バネ１９の付勢により固定軸１８の先端部を落ち込ませて、載置体２０の載置面２０ａ’を略鉛直方向に沿って位置させた状態で、取付枠体１０に対しガタなく載置体２０を組み付けることができる。（図１２）
【００７０】
次いで、図１２に示される状態から前記固定軸１８を外側に引っ張り操作しながら、前記隅部２０ｄ側にある溝端に位置される取付軸１４を中心に載置体２０の載置面２０ａ’が略水平に位置される位置Ｓｂまで当該載置体２０を上方に回動させることができる。そして、このように載置体２０を回動させた後、前記溝２１の一方において隅部２０ｄ側の溝端に設けられた凹部２１ｂからこの凹部２１ｂに落ち込まされた取付軸１４を抜き出し操作し、この取付軸１４が前記溝２１の前記導入溝２２との連通側の溝端に至る位置、すなわち、当該載置体２０の移動前方側の側部が前記連結桿部１７の内面に接する位置まで、当該載置体２０を横方向に移動させることができる。（移動終了位置Ｓａ・図３ないし図５）
【００７１】
このように載置体２０が、横方向に移動された場合、前記溝２１における前記導入溝２２との連通側の溝端に設けられた前記凹部２１ａに前記バネ１９の付勢により再び前記取付軸１４が落ち込まされ、当該載置体２０の前記連結桿部１７から離れる向きの横方向への移動が規制される。
【００７２】
それと共に、この実施の形態にあっては、このように横方向に移動された載置体２０の載置面２０ａ’を略水平に位置させ続けるように、前記取付軸１４を中心とした載置体２０の回動を停止させる回動停止手段３０が設けてある。
【００７３】
この実施の形態にあっては、前記載置体２０における前記溝２１が設けられている側部２０ｂに隣り合う一対の側部２０ｃ、２０ｃの略中央部にそれぞれ、この側部２０ｃとかかる載置体２０の下面とが接し合う箇所より当該側部２０ｃ面に対して略直交する向きに突き出す舌片状の突部３１を設けると共に、前記連結桿部１７の内側下部に、前記載置体２０の横方向への移動に伴って当該載置体２０の前記突部３１が入り込む凹部３２を設けて、かかる回動停止手段３０の一つを構成している。
【００７４】
すなわち、この凹部３２への突部３１の入り込みにより、載置体２０の前記取付軸１４を中心とした当該載置体２０の前記連結桿部１７に向き合わない側を下方に下げる向きへの回動が規制され、前記載置体２０の載置面２０ａ’を略水平に位置させた状態を安定的に確保することができる。
【００７５】
また、この実施の形態にあっては、前記一対の保持枠部１１、１１の内側面にそれぞれ、当該保持枠部１１と連結桿部１７が接し合う箇所から、前記取付軸１４の側に向けて延びるリブ３３が設けると共に、前記載置体２０の横方向への移動に伴って、当該載置体２０の前記溝２１に前記隅部２０ｄの溝端側からかかるリブ３３が入り込むように構成して、前記回動停止手段３０の他の一つを構成している。
【００７６】
すなわち、前記溝２１は前記のようにアール状に構成される前記載置体２０の隅部２０ｄに一方の溝端を位置させており、当該載置体２０の横方向への移動に伴ってこの溝端から前記リブ３３を前記溝２１の上部側に収めるように導入することができる。そして、この溝２１へのリブ３３の入り込みによっても、前記載置体２０の前記取付軸１４を中心とした当該載置体２０の前記連結桿部１７に向き合わない側を下方に下げる向きへの回動が規制され、載置体２０の載置面２０ａ’を略水平に位置させた状態を安定的に確保することができる。
【００７７】
このように、載置面２０ａ’を略水平に位置させた状態において、当該載置面２０ａ’に各種の物品を載せおくことが可能とされる。
【００７８】
また、図３ないし図５に示される物品の載置を可能とする状態から、前記溝２１の導入溝２２との連通側の溝端にある凹部２１ａから取付軸１４の先端部を抜き出す操作をなした後、当該取付軸１４が前記隅部２０ｄ側の溝端に位置される位置まで載置体２０を横方向に移動させることにより（図４において想像線で示される位置Ｓｂ）、前記凹部３２から突部３１を抜き出すと共に、前記溝２１からリブ３３を抜き出すことができる。このように移動された載置体２０は、再び図４に示されるように、前記取付軸１４を中心に載置面２０ａ’を鉛直方向に沿わせる位置Ｓｃまで回動させることができ、物品の載置が必要ない場合には載置体２０を邪魔にならない状態に再び位置させておくことができる。
【００７９】
また、載置体２０の取り外しが必要となった場合には、図１４に示されるように、載置体２０を上方に持ち上げ、前記溝２１の導入溝２２から前記取付軸１４を抜き出すことにより、容易にこれをなすことができる。（すなわち、図１４において実線で示される載置体２０を同図における右側に移動させてこの取り外しがなされる。）
【００８０】
また、この実施の形態にあっては、載置体２０の一対の側部２０ｂ、２０ｂにそれぞれ二つの溝２１、２１部が設けてあり、かかる一対の側部２０ｂ、２０ｂにおける対向した一対の溝２１、２１の一方（図１における符号Ｍ１で示す溝２１）に前記取付軸１４をそれぞれ収めて、この一対の側部２０ｂ、２０ｂの一方側において載置体２０を略水平に保持することができると共に、一旦載置体２０を取り外した後、前記一対の側部２０ｂ、２０ｂにおける対向した一対の溝２１、２１部の他方（図１における符号Ｍ２で示す溝２１）に前記取付軸１４をそれぞれ収めて、この一対の側部２０ｂ、２０ｂの他方側において載置体２０を略水平に保持することができる。
【００８１】
この結果、この実施の形態にあっては、前記アームレストＡに対する載置体２０の取付の向きを必要に応じて選択的に変えることができる特長を有する。
【００８２】
すなわち、この実施の形態にあっては、前記載置体２０における溝２１が設けられている一対の側部２０ｂ、２０ｂの一方側Ｅ１に、カップホルダーとなる凹部２３を備えた載置面２０ａ’が形成してあるところ、前記取付軸１４を前記対向した一対の溝２１、２１の一方Ｍ１に収めることにより、かかるカップホルダーとなる凹部２１ａがアームレストＡの突き出し先端側Ａｃに位置されるように、また、前記取付軸１４を前記対向した一対の溝２１、２１の他方Ｍ２に収めることにより、かかるカップホルダーとなる凹部２３がアームレストＡの突き出し基部側Ａｄに位置されるよに、容易に変更することができる。
【００８３】
なお、図１６ないし図２２は、以上に説明した物品載置具における載置体２０の載置面２０ａ’のデザインを主として変更した例を示すものである。
【００８４】
なお、ここで図１６は、この実施の形態に係る物品載置具の構成を理解し易いように、取付枠体１０と載置体２０とを分離して、斜視の状態として示している。また、図１７は、取付軸１４を中心に載置体２０をその載置面２０ａ’が略水平位置となるように回動させた態様を斜視の状態で示している。
【００８５】
また、図１８は、アームレストＡに対して取付枠体１０を取り付けると共に、この取付枠体１０に対し、回動停止手段３０を引っ掛け合わさせる位置まで略水平に移動された物品の載置可能な状態を載置体２０の上方から見た状態で示している。また、図１９は、図１８に示される状態を同図の上側から見て示しており、アームレストＡへの締め込み、巻き付け時の取付手段１３を想像線で示して表している。
【００８６】
また、図２０は、アームレストＡに対して取付枠体１０を取り付けると共に、この取付枠体１０に対し、回動停止手段３０を外した位置まで略水平に移動された状態を載置体２０の上方から見た状態で示している。
【００８７】
また、図２１および図２２は、図２０における取付軸１４が設けられている箇所の詳細を理解し易いように、当該箇所を断面にしてそれぞれ示している。
【００８８】
図１６ないし図２２に示される物品載置具の構成は、図１ないし図２１に示される物品載置具の構成と同一又は実質的に同一であるので、当該構成については図１６ないし図２２に図１ないし図２１で用いた符号と同一の符号を付してその説明を省略する。
【００８９】
【発明の効果】
この発明にかかる物品載置具によれば、前記載置体２０を載置面２０ａ’を略水平とする位置まで回動させることにより、当該載置面２０ａ’に適宜の物品を載せ置くことができ、また、載置体２０は取付枠体１０に吊下げ状に組み付けられていることから、載置体２０への物品の載置が必要でない場合には、載置体２０を前記回動前の位置に移動させて、邪魔にならないようにしておくことができる。この結果、この実施の形態によれば、アームレストＡにおけるシート側と反対の側の空間を有効に利用することが可能となる。
【００９０】
特に、ワンボックスタイプの自動車など、隣り合う座席間に通り抜け可能な間隔を設けてある自動車において、当該座席のアームレストＡに用いるのに適している。すなわち、前記隣り合う座席間の空間において物品の載置をなすことができ、また、かかる物品の載置が必要ない場合には、前記載置体２０を前記回動前の位置に移動させて当該座席間の通り抜けに支障を生じさせない。また、前記座席のアームレストＡに装着されるので、当該座席の向きを変えるために、当該座席を回転させるなどの操作にも支障を生じさせない。
【図面の簡単な説明】
【図１】物品載置具の分解斜視図
【図２】物品載置具の斜視図
【図３】物品載置具の使用状態を示す平面図
【図４】物品載置具の使用状態を示す側面図
【図５】物品載置具の使用状態を示す側面図
【図６】物品載置具の使用状態を示す側面図
【図７】物品載置具のアームレストＡへの取り付け状態を示す説明図
【図８】物品載置具の使用状態を示す平面図
【図９】物品載置具の使用状態を示す平面図
【図１０】図９におけるＸ−Ｘ線断面図
【図１１】図９におけるＹ−Ｙ線断面図
【図１２】物品載置具の使用状態を示す側面図
【図１３】図１２におけるＺ−Ｚ線断面図
【図１４】物品載置具の使用状態を示す側面図
【図１５】載置体２０の底面図
【図１６】物品載置具のデザインの変更例を示す分離斜視図
【図１７】物品載置具のデザインの変更例を示す分離斜視図
【図１８】物品載置具のデザインの変更例を示す平面図
【図１９】物品載置具のデザインの変更例を示す側面図
【図２０】物品載置具のデザインの変更例を示す平面図
【図２１】図２０におけるＸ’−Ｘ’線断面図
【図２２】図２０におけるＹ’−Ｙ’線断面図
【符号の説明】
Ａ  アームレスト
Ａａ  上面
Ａｂ  側面
Ｓａ  移動終了位置
１０  取付枠体
１０ａ  下面
１０ｂ  内側面
１１  保持枠部
１２  支持部
１３  取付手段
１４  取付軸
１５  アジャスター手段
２０  載置体
２０ａ  上面
２０ａ’  載置面
２０ｂ  側部
２１  溝
２１ａ  凹部
２２  導入溝
３０  回動停止手段
【図１】
0003717258.tif 000002
【図２】
0003717258.tif 000003
【図３】
0003717258.tif 000004
【図４】
0003717258.tif 000005
【図５】
0003717258.tif 000006
【図６】
0003717258.tif 000007
【図７】
0003717258.tif 000008
【図８】
0003717258.tif 000009
【図９】
0003717258.tif 000010
【図１０】
0003717258.tif 000011
【図１１】
0003717258.tif 000012
【図１２】
0003717258.tif 000013
【図１３】
0003717258.tif 000014
【図１４】
0003717258.tif 000015
【図１５】
0003717258.tif 000016
【図１６】
0003717258.tif 000017
【図１７】
0003717258.tif 000018
【図１８】
0003717258.tif 000019
【図１９】
0003717258.tif 000020
【図２０】
0003717258.tif 000021
【図２１】
0003717258.tif 000022
【図２２】
0003717258.tif 000023